【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
第１の画質の第１画像信号が入力される入力手段と、
画像信号の画質を変換するための対応関係を記憶する記憶手段と、
複数の画像信号を並べて表示手段に表示する指示を受け付ける指示手段と、
画像信号を生成する生成手段と、
前記第１画像信号と前記生成手段が生成した画像信号とを前記表示手段に表示するように制御する制御手段と、
を備え、
前記記憶手段が、前記第１の画質とは異なる第２の画質である第２画像信号を前記第１画像信号から生成するための前記対応関係を有している場合に、前記生成手段は、前記対応関係に応じて前記第１画像信号から前記第２画像信号を生成し、前記制御手段は、前記指示があると、前記第１画像信号と前記第２画像信号とを並べて前記表示手段に表示するように制御し、
前記記憶手段が前記第２画像信号を前記第１画像信号から生成するための前記対応関係を有していない場合に、前記生成手段は、前記第１画像信号に対して所定の輝度変換を行い、前記第２の画質である第３画像信号を生成し、前記制御手段は、前記指示があると、前記第１画像信号と前記第３画像信号とを並べて前記表示手段に表示するように制御する、
ことを特徴とする表示装置。
【請求項２】
前記第１の画質と前記第２の画質とはダイナミックレンジの範囲が異なる、
ことを特徴とする請求項１に記載の表示装置。
【請求項３】
前記第１の画質での上限の輝度は前記第２の画質での上限の輝度よりも大きく、
前記所定の輝度変換とは、前記第２の画質の上限の輝度より大きい前記第１画像信号の領域の輝度を、前記第２の画質の上限の輝度に変換する処理である、
ことを特徴とする請求項２に記載の表示装置。
【請求項４】
前記対応関係は、画像信号のガンマおよび色域に応じた対応である、
ことを特徴とする請求項１から３のいずれか１項に記載の表示装置。
【請求項５】
前記生成手段は、前記第１画像信号のうち一部の領域から前記第２画像信号または前記第３画像信号を生成し、
前記制御手段は、前記第１画像信号の前記一部の領域以外の領域と、前記生成手段が生成した前記第２画像信号または前記第３画像信号とを並べて前記表示手段に表示するように制御する、
ことを特徴とする請求項１から４のいずれか１項に記載の表示装置。
【請求項６】
前記第１画像信号と前記第２の画質の第４画像信号との両方が、１または複数の入力画像信号に含まれているか否かを判定する判定手段をさらに備え、
前記入力手段は前記第１画像信号を含む前記１または複数の入力画像信号が入力され、
前記判定手段が前記両方の画像信号が含まれていると判定した場合は、
前記生成手段は画像信号を生成せず、
前記制御手段は前記第１画像信号と前記第４画像信号とを前記表示手段に表示するように制御する、
ことを特徴とする請求項１から５のいずれか１項に記載の表示装置。
【請求項７】
第１の画質の第１画像信号を含む１または複数の入力画像信号が入力される入力手段と、
複数の画像信号を並べて表示手段に表示する指示を受け付ける指示手段と、
前記第１画像信号と、前記第１の画質とは異なる第２の画質の第４画像信号との両方が、前記１または複数の入力画像信号に含まれているか否かを判定する判定手段と、
前記第１画像信号から前記第４画像信号を生成する生成手段と、
前記第１画像信号と前記第４画像信号とを前記表示手段に表示する制御手段と、
を備え、
前記第１の画質と前記第２の画質のうちどちらか一方は所定の画像処理が施されている画像信号の画質であり、
前記第１の画質と前記第２の画質のうちの他方は前記所定の画像処理が施されていない画像信号の画質であり、
前記判定手段が前記第１画像信号と前記第４画像信号の両方が含まれていると判定する場合には、前記制御手段は、前記指示があると、前記第１画像信号と、前記入力手段に入力された前記第４画像信号とを並べて前記表示手段に表示するように制御し、
前記判定手段が前記第１画像信号と前記第４画像信号の両方が含まれていると判定しない場合には、前記制御手段は、前記指示があると、前記第１画像信号と、前記生成手段によって前記第１画像信号から生成された前記第４画像信号とを並べて前記表示手段に表示するように制御する、
ことを特徴とする表示装置。
【請求項８】
前記所定の画像処理はルックアップテーブルを用いた処理である、
ことを特徴とする請求項７に記載の表示装置。
【請求項９】
前記所定の画像処理はカラーディシジョンリストを用いた処理である、
ことを特徴とする請求項７に記載の表示装置。
【請求項１０】
前記第１の画質は、ＨＤＲ（Ｈｉｇｈ  Ｄｙｎａｍｉｃ  Ｒａｎｇｅ）の画質であり、
前記第２の画質は、ＳＤＲ（Ｓｔａｎｄａｒｄ  Ｄｙｎａｍｉｃ  Ｒａｎｇｅ）の画質である、
ことを特徴とする請求項１から９のいずれか１項に記載の表示装置。
【請求項１１】
画像信号の画質を変換するための対応関係を記憶する記憶手段を備える表示装置の制御方法であって、
第１の画質の第１画像信号が入力される入力工程と、
複数の画像信号を並べて表示する指示を受け付ける指示工程と、
画像信号を生成する生成工程と、
前記第１画像信号と前記生成工程において生成された画像信号とを表示する表示工程と、
を含み、
前記記憶手段に、前記第１の画質とは異なる第２の画質である第２画像信号を前記第１画像信号から生成するための前記対応関係が記憶されている場合に、前記生成工程では、前記対応関係に応じて前記第１画像信号から前記第２画像信号を生成し、前記表示工程では、前記指示があると、前記第１画像信号と前記第２画像信号とを並べて表示し、
前記記憶手段に前記第２画像信号を前記第１画像信号から生成するための前記対応関係が記憶されていない場合に、前記生成工程では、前記第１画像信号に対して所定の輝度変換を行い、前記第２の画質である第３画像信号を生成し、前記表示工程では、前記指示があると、前記第１画像信号と前記第３画像信号とを並べて表示する、
ことを特徴とする表示装置の制御方法。
【請求項１２】
第１の画質の第１画像信号を含む１または複数の入力画像信号が入力される入力工程と、
複数の画像信号を並べて表示する指示を受け付ける指示工程と、
前記第１画像信号と、前記第１の画質とは異なる第２の画質の第４画像信号との両方が、前記１または複数の入力画像信号に含まれているか否かを判定する判定工程と、
前記第１画像信号から前記第４画像信号を生成する生成工程と、
前記第１画像信号と前記第４画像信号とを表示する表示工程と、
を含み、
前記第１の画質と前記第２の画質のうちどちらか一方は所定の画像処理が施されている画像信号の画質であり、
前記第１の画質と前記第２の画質のうちの他方は前記所定の画像処理が施されていない画像信号の画質であり、
前記判定工程において前記第１画像信号と前記第４画像信号の両方が含まれていると判定された場合には、前記表示工程では、前記指示があると、前記第１画像信号と、前記入力工程において入力された前記第４画像信号とを並べて表示し、
前記判定工程において前記第１画像信号と前記第４画像信号の両方が含まれていると判定されない場合には、前記表示工程では、前記指示があると、前記第１画像信号と、前記生成工程において前記第１画像信号から生成された前記第４画像信号とを並べて表示する、
ことを特徴とする表示装置の制御方法。
【請求項１３】
請求項１１または１２に記載の制御方法の各工程をコンピュータに実行させるためのプログラム。
【手続補正２】
【補正対象書類名】明細書
【補正対象項目名】０００９
【補正方法】変更
【補正の内容】
【０００９】
本発明の第１の態様は、
第１の画質の第１画像信号が入力される入力手段と、
画像信号の画質を変換するための対応関係を記憶する記憶手段と、
複数の画像信号を並べて表示手段に表示する指示を受け付ける指示手段と、
画像信号を生成する生成手段と、
前記第１画像信号と前記生成手段が生成した画像信号とを前記表示手段に表示するように制御する制御手段と、
を備え、
前記記憶手段が、前記第１の画質とは異なる第２の画質である第２画像信号を前記第１画像信号から生成するための前記対応関係を有している場合に、前記生成手段は前記対応関係に応じて前記第１画像信号から前記第２画像信号を生成し、前記制御手段は、前記指示があると、前記第１画像信号と前記第２画像信号とを並べて前記表示手段に表示するように制御し、
前記記憶手段が前記第２画像信号を前記第１画像信号から生成するための前記対応関係を有していない場合に、前記生成手段は、前記第１画像信号に対して所定の輝度変換を行い、前記第２の画質である第３画像信号を生成し、前記制御手段は、前記指示があると、前記第１画像信号と前記第３画像信号とを並べて前記表示手段に表示するように制御する、
ことを特徴とする表示装置である。
【手続補正３】
【補正対象書類名】明細書
【補正対象項目名】００１０
【補正方法】変更
【補正の内容】
【００１０】
本発明の第２の態様は、
第１の画質の第１画像信号を含む１または複数の入力画像信号が入力される入力手段と、
複数の画像信号を並べて表示手段に表示する指示を受け付ける指示手段と、
前記第１画像信号と、前記第１の画質とは異なる第２の画質の第４画像信号との両方が、前記１または複数の入力画像信号に含まれているか否かを判定する判定手段と、
前記第１画像信号から前記第４画像信号を生成する生成手段と、
前記第１画像信号と前記第４画像信号とを前記表示手段に表示する制御手段と、
を備え、
前記第１の画質と前記第２の画質のうちどちらか一方は所定の画像処理が施されている画像信号の画質であり、
前記第１の画質と前記第２の画質のうちの他方は前記所定の画像処理が施されていない画像信号の画質であり、
前記判定手段が前記第１画像信号と前記第４画像信号の両方が含まれていると判定する場合には、前記制御手段は、前記指示があると、前記第１画像信号と、前記入力手段に入力された前記第４画像信号とを並べて前記表示手段に表示するように制御し、
前記判定手段が前記第１画像信号と前記第４画像信号の両方が含まれていると判定しない場合には、前記制御手段は、前記指示があると、前記第１画像信号と、前記生成手段によって前記第１画像信号から生成された前記第４画像信号とを並べて前記表示手段に表示するように制御する、
ことを特徴とする表示装置である。
【手続補正４】
【補正対象書類名】明細書
【補正対象項目名】００１１
【補正方法】変更
【補正の内容】
【００１１】
本発明の第３の態様は、
画像信号の画質を変換するための対応関係を記憶する記憶手段を備える表示装置の制御方法であって、
第１の画質の第１画像信号が入力される入力工程と、
複数の画像信号を並べて表示する指示を受け付ける指示工程と、
画像信号を生成する生成工程と、
前記第１画像信号と前記生成工程において生成された画像信号とを表示する表示工程と、
を含み、
前記記憶手段に、前記第１の画質とは異なる第２の画質である第２画像信号を前記第１画像信号から生成するための前記対応関係が記憶されている場合に、前記生成工程では、前記対応関係に応じて前記第１画像信号から前記第２画像信号を生成し、前記表示工程では、前記指示があると、前記第１画像信号と前記第２画像信号とを並べて表示し、
前記記憶手段に前記第２画像信号を前記第１画像信号から生成するための前記対応関係が記憶されていない場合に、前記生成工程では、前記第１画像信号に対して所定の輝度変換を行い、前記第２の画質である第３画像信号を生成し、前記表示工程では、前記指示があると、前記第１画像信号と前記第３画像信号とを並べて表示する、
ことを特徴とする表示装置の制御方法である。
【手続補正５】
【補正対象書類名】明細書
【補正対象項目名】００１２
【補正方法】変更
【補正の内容】
【００１２】
本発明の第４の態様は、
第１の画質の第１画像信号を含む１または複数の入力画像信号が入力される入力工程と、
複数の画像信号を並べて表示する指示を受け付ける指示工程と、
前記第１画像信号と、前記第１の画質とは異なる第２の画質の第４画像信号との両方が、前記１または複数の入力画像信号に含まれているか否かを判定する判定工程と、
前記第１画像信号から前記第４画像信号を生成する生成工程と、
前記第１画像信号と前記第４画像信号とを表示する表示工程と、
を含み、
前記第１の画質と前記第２の画質のうちどちらか一方は所定の画像処理が施されている画像信号の画質であり、
前記第１の画質と前記第２の画質のうちの他方は前記所定の画像処理が施されていない画像信号の画質であり、
前記判定工程において前記第１画像信号と前記第４画像信号の両方が含まれていると判定された場合には、前記表示工程では、前記指示があると、前記第１画像信号と、前記入力工程において入力された前記第４画像信号とを並べて表示し、
前記判定工程において前記第１画像信号と前記第４画像信号の両方が含まれていると判定されない場合には、前記表示工程では、前記指示があると、前記第１画像信号と、前記生成工程において前記第１画像信号から生成された前記第４画像信号とを並べて表示する、
ことを特徴とする表示装置の制御方法である。